(57)【要約】【課題】  射出成形性を損なうことなく、ノズル筒を高い自由度で湾曲状に形成することを課題とし、もって操作性に優れ、使い勝手の良いポンプのノズルヘッドを提供することを目的とする。【解決手段】  頂壁上面を手による押下げ面とした硬質合成樹脂製のヘッド本体の側面に、横外方に延出するノズル筒を設けたポンプのノズルヘッドにおいて、ノズル筒を、湾曲状の形状に射出成形可能にエラストマー製とする。【選択図】図１
2008056301.tif 000002
【特許請求の範囲】
【請求項１】
頂壁(5)上面を手による押下げ面とした硬質合成樹脂製のヘッド本体(2)の側面に、横外方に延出するノズル筒(3)を設けたノズルヘッドであって、該ノズル筒(3)を、湾曲状の形状に射出成形可能にエラストマー製としたことを特徴とするポンプのノズルヘッド。
【請求項２】
ノズル筒(3)の先端部を下方に向けて湾曲させた形状としたことを特徴とする請求項１記載のポンプのノズルヘッド。
【請求項３】
ノズル筒(3)の先端部を水平から４５°以上傾斜させたことを特徴とする請求項１記載のポンプのノズルヘッド。
【請求項４】
ノズル筒(3)を蛇行状に湾曲させたことを特徴とする請求項１記載のポンプのノズルヘッド。
【請求項５】
ノズル筒(3)にヘッド本体(2)の頂壁(5)の少なくとも中央部を被覆状に外装するカバー部(7)を一体形成して前記ノズル筒(3)と共にエラストマー製とし、前記カバー部(7)を前記ヘッド本体(2)に組付き固定する構成とした請求項１、２、３または４記載のポンプのノズルヘッド。
【請求項６】
ヘッド本体(2)をインサート材とし、エラストマー製部材(E)を射出成形したことを特徴とする請求項１、２、３、４または５記載のポンプのノズルヘッド。
【発明の詳細な説明】
【技術分野】
【０００１】
本発明は、内容液を収容した容器本体の上端の口筒部に組付けられ、押下げ操作により内容液を注出するポンプのノズルヘッドに関するものである。
【背景技術】
【０００２】
シャンプー、リンス、ボディソープ、ハンドソープ、さらには化粧液等の内容液を収容した容器に組付けられ、ノズルヘッドを押下げることにより内容液を注出するポンプは、そのノズルヘッドの構造を、ノズル筒を比較的大きく横外方に延出させたものとし、これにより注出された内容液が、直接手のひらに注出されるようにしている。
【特許文献１】特開平０９−０１２０５２号公報
【０００３】
この上記したポンプのノズルヘッドの一般的な構造は、図４に示すように、上面を手による押下げ面としたヘッド本体１０２の側面に、わずかに湾曲下降しながら横外方に延出するノズル筒１０３を設け、ヘッド本体１０２に、上端部にノズル筒１０３のノズル通路１０４を開放させたヘッド首筒１０６と、このヘッド首筒１０６の中央に位置する弁押さえ片１０７を垂下設して構成されている。
【０００４】
このノズルヘッド１０１は、ポンプの主体部分の一部である、ボール弁１１２を内装したステム１１１の上端部に、そのヘッド首筒１０６で密にかつ不動に外嵌組付きし、ノズルヘッド１０１の押下げに伴うステム１１１の下降変位により、ボール弁１１２を開放しながらポンプ内を上昇した内容液がノズル通路１０４を通して、目的とする箇所に注出するものとなっている。
【０００５】
このノズルヘッド１０１のノズル筒１０３は、内容液を直接手のひらに注出することができるように、比較的大きな延出長さで成形されているが、具体的には、ノズル筒１０３の延出端が、容器本体の胴部の外周面の、仮想される延長面に、できるだけ接近することのできる延出長さで成形されている。
【０００６】
なお、ノズルヘッド１０１に設けられたガイド筒１０８と、ポンプの主体部分側に設けられた支持筒１１３との組合せ物は、ノズルヘッド１０１の昇降変位姿勢を、妄りに傾くことなく、安定して一定に保持するためのものである。
【０００７】
そして、このようなノズルヘッドを成形する金型は、ノズルヘッドの中心軸に沿って往復動して組み合わされる一対の主金型に加え、ノズル筒の内面形状に合せて湾曲した棒状部材を有し、この棒状部材によりノズル筒の内面を成形する管内用金型を上記主金型に加えて構成される。
【発明の開示】
【発明が解決しようとする課題】
【０００８】
ここで、上記説明したようなノズルヘッド１０１では、内容液を直接手のひらに注出しやすいように、ノズル筒１０３はヘッド本体１０２の側面に、わずかに湾曲下降しながら横外方に延出するように配設されが、上記したように射出成形に際してはこのノズル筒１０３の内面は棒状部材によって形成されるため、成形後にこの棒状部材が引き抜く必要がある。このためにノズル筒１０３を湾曲状に成形するにあたっても、この棒状部材の引き抜き工程を考慮する必要があり、その湾曲形状には自ずと制限があり、使い勝っての点では必ずしも十分な形状とすることができないという問題がある。
【０００９】
そこで、本発明は、上記した従来技術における問題点を解消すべく創案されたもので、射出成形性を損なうことなく、ノズル筒を高い自由度で湾曲状に形成することを課題とし、もって操作性に優れ、使い勝手の良いポンプのノズルヘッドを提供することを目的とする。
【課題を解決するための手段】
【００１０】
上記技術的課題を解決する本発明の内、請求項１記載の発明の手段は、
頂壁上面を手による押下げ面とした硬質合成樹脂製のヘッド本体の側面に、横外方に延出するノズル筒を設けたポンプのノズルヘッドにおいて、
ノズル筒を、湾曲状の形状に射出成形可能にエラストマー製としたこと、にある。
【００１１】
請求項１記載の上記構成により、ノズル筒を、柔軟性があり、元の形状に弾性回復可能な状態で、大きく変形することができるエラストマー製とすることにより、射出成形金型において、ノズル筒のノズル通路を形成する部分である棒状部材を、このノズル通路が直線状になるように変形させながら容易に抜き出すことができ、抜き出した後は弾性的に成形された形状に戻るので、従来にない高い自由度で、ノズルヘッドの操作性と使い勝手を考慮して湾曲状の形状を設計することが可能となる。
【００１２】
また、ノズル筒をエラストマー製とすることにより、内容液を注出後、ノズル筒を指先で摘まんで、中に残留した内容液を絞り出すことができ、使用後の内容液の液垂れを防ぐことができ、また残留した内容液がノズル筒内で固化したり、変質したりするのを防ぐことができる。
【００１３】
請求項２記載の発明の手段は、請求項１記載の発明において、ノズル筒の先端部を下方に向けて湾曲させた形状としたこと、にある。
【００１４】
請求項２記載の上記構成により、ノズル筒の先端部を下方に向けて湾曲させることにより、たとえば片手でヘッド本体を押圧すると共に、その押圧する手の手のひらに確実に内容液を注出させることができる。
先端部をどの程度下向きにするかは、内容液の粘度、注出方向、使い勝手を考慮して決めることができ、真っ直ぐ下向きとすることもできる。
【００１５】
請求項３記載の発明の手段は、請求項１記載の発明において、ノズル筒の先端部を水平から４５°以上傾斜させたこと、にある。
【００１６】
従来のノズルヘッドでは射出成形における棒状部材の引抜き性を考慮すると、この傾斜角度は高々３０°程度であったが、請求項３記載の上記構成により、ノズル筒をエラストマー製とすることにより４５°以上にもするができ、４５°以上とすることにより、内容液の前方への噴出を確実に防ぐことができ、また手のひらへの注出をより確実に達成することができる。
【００１７】
請求項４記載の発明の手段は、請求項１記載の発明において、ノズル筒を蛇行状に湾曲させたこと、にある。
【００１８】
請求項４記載の上記構成により、意匠性の点からも従来ない面白い形状のノズルヘッドを提供することができる。
【００１９】
請求項５記載の発明の手段は請求項１、２、３または４記載の発明において、ノズル筒にヘッド本体の頂壁の少なくとも中央部を被覆状に外装するカバー部を一体形成してノズル筒と共にエラストマー製とし、このカバー部をヘッド本体に組付き固定する構成としたこと、にある。
【００２０】
通常、硬質樹脂製のノズル本体と、エラストマー製のノズル筒はそれぞれ射出成形して、別途組付けて製造されるが、
請求項５記載の上記構成により、カバー部も含めてエラストマー製とすることにより、このエラストマー製部分のヘッド本体部分への組付け固定をより確実なものとすることができる。
【００２１】
また、押圧面となる頂壁がエラストマー製のカバー部により被覆状に外装されるのであり、押圧時の指先のすべりを防止でき、さらにはソフトな触感とすることができ、より使い勝手のよいものとすることができる。
【００２２】
請求項６記載の発明の手段は、請求項１、２、３、４または５記載の発明において、ヘッド本体をインサート材とし、エラストマー製部材を射出成形したことにある。
【００２３】
上記請求項６において、エラストマー製部材は具体的にはノズル筒、あるいはノズル筒とカバー部を一体形成した部材を指す。
そして、請求項６記載の上記構成により、ヘッド本体をインサート材とし、ノズル筒を形成する、あるいはノズル筒とカバー体形成するエラストマー製部材を射出成形することにより、一体状にノズルヘッドを形成でき、アンダーカット部分を利用してより確実に組付き固定ができる。
【発明の効果】
【００２４】
本発明は、上記した構成となっているので、以下に示す効果を奏する。
請求項１記載の発明にあっては、射出成形金型においてノズル通路を形成する部分である棒状部材を、このノズル通路が直線状になるように変形させながら容易に抜き出すことができ、抜き出した後は弾性的に成形された形状に戻るので、従来にない高い自由度で、ノズルヘッドの操作性と使い勝手を考慮して湾曲状の形状を設計することができる。
【００２５】
請求項２記載の発明にあっては、ノズル筒の先端部を真っ直ぐ下向きとすることもでき、たとえば片手でヘッド本体を押圧すると共に、その手のひらに確実に内容液を注出させることができる。
【００２６】
請求項３記載の発明にあっては、ノズル筒の先端部を水平から４５°以上傾斜させたことにより、誤操作による内容液の前方への噴出を確実に防ぐことができ、また手のひらへの注出をより確実に達成することができる。
【００２７】
請求項４記載の発明にあっては、ノズル筒を蛇行状に湾曲させたことにより、意匠性の点からも従来ない面白い形状のノズルヘッドを提供することができる。
【００２８】
請求項５記載の発明にあっては、カバー部も含めてエラストマー製とすることにより、このエラストマー製部分のヘッド本体部分への組付け固定をより確実なものとすることができる。また、押圧面となる頂壁がエラストマー製のカバー部により被覆状に外装され、押圧時の指先のすべりを防止でき、さらにはソフトな触感とすることができる。
【００２９】
請求項６記載の発明にあっては、ヘッド本体をインサート材とし、ノズル筒、あるいはノズル筒とカバー体を形成するエラストマー製部材を射出成形することにより、一体状にノズルヘッドを形成でき、アンダーカット部分を利用してより確実に組付き固定することができる。
【発明を実施するための最良の形態】
【００３０】
以下、本発明の実施形態を実施例により図面を参照しながら説明する。
図１と図２は本発明ノズルへヘッドの一実施例を示すものであり、図１はポンプＰの上部に取り付けた状態で一部破断して示すノズルヘッド１の側面図、図２はその平面図である。
【００３１】
このノズルヘッド１は有頂円筒状のノズル本体２の側面に、その先端部を湾曲状に下降しながら横外方に延出するノズル筒３を設けたものであり、ヘッド本体２は、頂壁５から、外周壁を形成するガイド筒８が垂下設され、またその内側に上端部にノズル筒３のノズル通路４を開放させたヘッド首筒６が垂下設されている。
ヘッド本体２はポリプロピレン樹脂製であり、ノズル筒３と頂壁５の中央部を被覆状に外装するカバー部７は、エラストマー製で一体成形されたものである。
【００３２】
そしてノズルヘッド１はそのヘッド首筒６で、ポンプＰの主体部分の一部であるボール弁１２を内装したステム１１の上端部に、密にかつ不動に外嵌組付きし、ノズルヘッド１の押下げに伴うステム１１の下降変位により、ボール弁１２を開放しながらポンプ内を上昇した内容液がヘッド首筒６、ノズル通路４を通して、目的とする箇所に注出するものとなっている。
【００３３】
円筒形状をしたステム１１は、ヘッド首筒６の嵌入組付き限位置を設定する段部にまで嵌入し、内周面に内鍔片を周設することにより弁座面を形成してボール弁１２を配設している。また、ヘッド首筒６の内周面に配設され、縦方向への流路が形成された押え片１４によりボール弁１２の上限位置が決められる。
【００３４】
なお、ノズル首筒６を囲む形態でヘッド本体２に垂下設されたガイド筒８と、ポンプＰの主体部分側に設けられた支持筒１３との組合せ物は、ノズルヘッド１の昇降変位姿勢を、妄りに傾くことなく、安定して一定に保持するためのものである。
【００３５】
本実施例のノズルヘッド１では、前述したようにノズル筒３にヘッド本体２の頂壁５の中央部を被覆状に外装するカバー部７を一体連接し、ノズル筒３と共に、カバー部７をヘッド本体２に組付き固定する構成としている。
このノズル筒３とカバー部７からなるエラストマー製部材Ｅは、予め射出成形したポリプロピレン樹脂製のヘッド本体２をインサート材とし、射出成形したものであり、このようにノズル筒３とカバー部７とを一体としたエラストマー製部材Ｅとすることにより、ヘッド本体２にアンダーカット状にしっかりと組付け固定することができる。
【００３６】
そして、エラストマー製のノズル筒３はヘッド本体２からまず略水平方向に延出し、その先端部を下方に湾曲状にした形状としており、この先端部の水平方向からの角度ＴＨは６８°であり、手のひらへの内容液の注出操作が容易で、使い勝手のよいものとしている。
【００３７】
また、押圧面となる頂壁５がエラストマー製のカバー部７により被覆状に外装されるので、押圧時の指先のすべりを防止し、さらにはソフトな触感としている。
【００３８】
エラストマーとしては、大きな弾性と充分な柔軟性とを有するスチレン・ブタジエン・スチレンブロックコポリマー系エラストマー、オレフィン系エラストマー、ウレタン系エラストマー、さらにはポリエステル系エラストマー等が使用される。
【００３９】
図３は特にノズル筒３部分の成形に係る概略説明図であり、横方向にノズル通路４が貫通形成された部材の射出成形では、主金型に、図示されるような可動可能な棒状部材Ｍを組み合わせて用いる。
そこで、本実施例のノズルヘッド１ではノズル筒３がエラストマー製であるので、射出成形後この棒状部材Ｍを白抜き矢印方向に抜く際に、ノズル筒３が大きく変形できるので、大きく湾曲した形状をノズル通路が直線状になるように変形させながら（図３（ｂ）参照）、この棒状部材Ｍを容易に引き抜くことができ、抜いた後はこのノズル筒３を元の湾曲状の形状に弾性的に復元する。
【００４０】
一方、従来のようにノズル筒３がヘッド本体２と一体で、硬質合成樹脂製の場合には、上記のような棒状部材Ｍの移動に伴う大きな変形は期待できないので、ノズル筒の先端部を下向きにしようとしても図４に示される従来例のノズルヘッド１０１のノズル筒１０３程度の形状に限定されてしまう。
【００４１】
すなわち、従来のノズルヘッド１０１では、水平方向からの傾斜角度も高々３０°程度が限界であり、またこのような場合にも棒状部材Ｍの引抜き性を考慮して、ノズル筒１０３の先端部だけでなく、その全体を緩やかな湾曲状の形状にする必要がある。すなわち成形工程面からの制限により、使い勝っての点では必ずしも十分な形状とすることができない。
【００４２】
以上、実施例に沿って本発明の実施の形態を説明したが、本発明の作用効果はこれら実施例に限定されものではない。
図１に示したポンプは本発明のノズルヘッドと組み合わせて使用するポンプの一例にすぎないものであり、使用されるポンプは、ボール弁付きのものに限定されることはなく、バネ式の合成樹脂製弁等のあらゆる種類のポンプを使用することもできる。
【００４３】
また、実施例ではノズル筒３とカバー部７を一体形成してエラストマー製部材Ｅとする例を示したが、この場合には必ずしもインサート成形に限定されるものではなく、その柔軟性を利用して後工程で組付き固定することもできる。
一方、インサート成形を利用する場合には、容易にアンダーカット部を形成することができるので、ノズル筒３だけをエラストマー製部材Ｅとし、ヘッド本体２にしっかりと組付け固定することもできる。
また、ノズル筒３の形状も図１に示されたものに限定されず、内容液の粘度や用途によっては先端部を真下に向けることもでき、さらには蛇行状に形成することもできる。
【産業上の利用可能性】
【００４４】
本発明のノズルヘッドは成形面からの制限が小さく、その形状、先端部の向きを高い自由度でさまざまな態様に設計でき、優れた操作性と使い勝手のノズルヘッドを提供するものであり、さまざまな態様の容器、ポンプと組み合わせて幅広い用途展開が期待できる。
【図面の簡単な説明】
【００４５】
【図１】本発明のノズルヘッドの一実施例を一部破断して示す側面図である。
【図２】図１のノズルヘッドの平面図である。
【図３】ノズル筒の成形方法に係る概略説明図である。
【図４】ノズルヘッドの従来例を示す縦断側面図である。
【符号の説明】
【００４６】
１  ；ノズルヘッド
２  ；ヘッド本体
３  ；ノズル筒
４  ；ノズル通路
５  ；頂壁
６  ；ヘッド首筒
７  ；カバー部
８  ；ガイド筒
１１；ステム
１２；ボール弁
１３；支持筒
１４；押え片
１０１；ノズルヘッド
１０２；ヘッド本体
１０３；ノズル筒
１０４；ノズル通路
１０６；ヘッド首筒
１０７；弁押え片
１０８；ガイド筒
１１１；ステム
１１２；ボール弁
１１３；支持筒
Ｅ  ；エラストマー製部材
Ｐ  ；ポンプ
Ｍ  ；棒状部材
ＴＨ；角度
【図１】
2008056301.tif 000003
【図２】
2008056301.tif 000004
【図３】
2008056301.tif 000005
【図４】
2008056301.tif 000006